【手続補正書】
【提出日】平成17年5月26日(2005.5.26)
【手続補正１】
【補正対象書類名】特許請求の範囲
【補正対象項目名】全文
【補正方法】変更
【補正の内容】
【特許請求の範囲】
【請求項１】
画像データが記録されている記録媒体から画像データを読み出し、プリンタと通信して画像データを送信可能なデジタルカメラであって、
画像を表示する表示手段と、
前記プリンタとの通信が開始された後に、前記表示手段にプリントモード設定用画面を表示させる表示制御手段と、
前記プリントモード設定用画面に基づいて選択されたプリントモードの設定要求を送信する送信手段とを備え、
前記送信手段で前記選択されたプリントモードの設定要求を送信した後に、前記プリンタから送信される画像データ送信要求に基づいて、前記記録媒体から読み出された画像データを前記プリンタに送信することを特徴とするデジタルカメラ。
【請求項２】
前記プリントモードは、プリント画質に関する設定を含むことを特徴とする請求項１に記載のデジタルカメラ。
【請求項３】
前記プリントモードは、プリント速度に関する設定を含むことを特徴とする請求項１に記載のデジタルカメラ。
【請求項４】
さらに前記プリンタとの通信の開始を指示する操作部を有することを特徴とする請求項１ないし３のいずれか１つに記載のデジタルカメラ。
【請求項５】
前記プリンタの画像データの送信が完了したことに応じて前記通信の切断要求を前記プ
リンタに送信することを特徴とする請求項１ないし４のいずれか１つに記載のデジタルカ
メラ。
【請求項６】
デジタルカメラと通信可能なプリンタであって、
前記デジタルカメラとの通信開始後、前記デジタルカメラからプリントモードの設定要求を受信する受信手段と、
前記設定要求の受信後に前記デジタルカメラに画像データの送信要求を送信する送信手段と、
前記送信要求に応じて前記デジタルカメラから送信された画像データを、前記設定要求に従ったプリントモードに従ったプリントデータに変換する変換手段と、
前記プリントデータをプリントするプリント手段と
を有することを特徴とするプリンタ。
【請求項７】
前記プリントモードは、プリント画質に関する設定を含むことを特徴とする請求項６に
記載のプリンタ。
【請求項８】
前記プリントモードは、プリント速度に関する設定を含むことを特徴とする請求項６に
記載のプリンタ。
【請求項９】
前記送信手段は、画像データを前記設定要求に対応するプリントモードでプリントデータへ変換するための環境が設定されたことに応じて、前記送信要求を送信することを特徴
とする請求項６ないし８のいずれか１つに記載のプリンタ。
【請求項１０】
画像を表示する表示手段および画像データが記録されている記録媒体から画像データを読み出す読み出し手段を有し、プリンタと通信して画像データを送信可能なデジタルカメラの制御方法であって、
前記プリンタとの通信が開始された後に、前記表示手段にプリントモード設定用の画面を表示させる表示制御工程と、
前記画面に基づいて選択されたプリントモードの設定要求を送信する送信工程と、
前記送信工程で前記選択されたプリントモードの設定要求を送信した後に、前記プリンタから送信される画像データ送信要求に基づいて、前記記録媒体から読み出された画像データを前記プリンタに送信する画像データ送信工程と
を有することを特徴とするデジタルカメラの制御方法。
【請求項１１】
デジタルカメラと通信可能なプリンタの制御方法であって、
前記デジタルカメラとの通信開始後、前記デジタルカメラからプリントモードの設定要求を受信する受信工程と、
前記設定要求の受信後に前記デジタルカメラに画像データの送信要求を送信する送信工程と、
前記送信要求に応じて前記デジタルカメラから送信された画像データを、前記設定要求に従ったプリントモードに従ったプリントデータに変換する変換工程と、
前記プリントデータをプリントするプリント工程と
を有することを特徴とするプリンタの制御方法。
【請求項１２】
画像データが記録されている記録媒体から画像データを読み出し、プリンタと通信して画像データを送信可能なデジタルカメラであって、
前記記録媒体に記憶されている画像データの中から画像を選択するための画像選択手段と、
前記画像選択手段によって選択された画像を表示する表示手段と、
プリンタとの通信が開始された後に、プリントモード選択用画面を前記表示手段に表示させる表示制御手段と、
複数のプリントモードの中から所望のプリントモードを選択するプリントモード選択手段と、
前記プリントモード選択手段によって選択されたプリントモードの設定要求をプリンタに送信する送信手段と、
前記記録媒体から画像データの読み出しを制御するための読み出し制御手段とを有し、
前記読み出し制御手段は、前記送信手段によってプリントモードの設定要求を送信した後に前記プリンタから送信される画像データ送信要求に応じて、画像データの読み出しを制御することを特徴とするデジタルカメラ。
【請求項１３】
前記読み出し制御手段は、前記送信手段によってプリントモードの設定要求を送信した後に前記プリンタから送信される画像データ送信要求を待ち、前記画像データの送信要求を受信したことに応じて、画像データの読み出しを開始することを特徴とする請求項１２に記載のデジタルカメラ。
【請求項１４】
前記プリントモードは、プリント画質に関する設定を含むことを特徴とする請求項１２または１３に記載のデジタルカメラ。
【請求項１５】
前記プリントモードは、プリント速度に関する設定を含むことを特徴とする請求項１２または１３に記載のデジタルカメラ。
【請求項１６】
画像を表示する表示手段および画像データが記録されている記録媒体から画像データを読み出す読み出し手段を有し、プリンタと通信して画像データを送信可能なデジタルカメラの制御方法であって、
プリンタとの通信が開始された後に、プリントモード選択のためのプリントモード選択用画面を前記表示手段に表示させる表示制御工程と、
選択されたプリントモードの設定要求をプリンタに送信する送信工程と、
前記プリントモードの設定要求を送信した後に前記プリンタから送信される画像データ送信要求に応じて、画像データの読み出しを制御する読み出し制御工程と
を有することを特徴とするデジタルカメラの制御方法。
【手続補正２】
【補正対象書類名】明細書
【補正対象項目名】０００９
【補正方法】変更
【補正の内容】
【０００９】
本発明は、上記目的を達成するため、画像データが記録されている記録媒体から画像データを読み出し、プリンタと通信して画像データを送信可能なデジタルカメラであって、画像を表示する表示手段と、前記プリンタとの通信が開始された後に、前記表示手段にプリントモード設定用画面を表示させる表示制御手段と、前記プリントモード設定用画面に基づいて選択されたプリントモードの設定要求を送信する送信手段とを備え、前記送信手段で前記選択されたプリントモードの設定要求を送信した後に、前記プリンタから送信される画像データ送信要求に基づいて、前記記録媒体から読み出された画像データを前記プリンタに送信することを特徴とするデジタルカメラを提供する。
【手続補正３】
【補正対象書類名】明細書
【補正対象項目名】００１１
【補正方法】変更
【補正の内容】
【００１１】
本発明は、上記目的を達成するため、画像を表示する表示手段および画像データが記録されている記録媒体から画像データを読み出す読み出し手段を有し、プリンタと通信して画像データを送信可能なデジタルカメラの制御方法であって、前記プリンタとの通信が開始された後に、前記表示手段にプリントモード設定用の画面を表示させる表示制御工程と、前記画面に基づいて選択されたプリントモードの設定要求を送信する送信工程と、前記送信工程で前記選択されたプリントモードの設定要求を送信した後に、前記プリンタから送信される画像データ送信要求に基づいて、前記記録媒体から読み出された画像データを前記プリンタに送信する画像データ送信工程と有することを特徴とするデジタルカメラの制御方法を提供する。
【手続補正４】
【補正対象書類名】明細書
【補正対象項目名】００１２
【補正方法】変更
【補正の内容】
【００１２】
本発明は、上記目的を達成するため、デジタルカメラと通信可能なプリンタの制御方法であって、前記デジタルカメラとの通信開始後、前記デジタルカメラからプリントモードの設定要求を受信する受信工程と、前記設定要求の受信後に前記デジタルカメラに画像データの送信要求を送信する送信工程と、前記送信要求に応じて前記デジタルカメラから送信された画像データを、前記設定要求に従ったプリントモードに従ったプリントデータに変換する変換工程と、前記プリントデータをプリントするプリント工程とを有することを特徴とするプリンタの制御方法を提供する。
本発明は、上記目的を達成するため、画像データが記録されている記録媒体から画像データを読み出し、プリンタと通信して画像データを送信可能なデジタルカメラであって、前記記録媒体に記憶されている画像データの中から画像を選択するための画像選択手段と、前記画像選択手段によって選択された画像を表示する表示手段と、プリンタとの通信が開始された後に、プリントモード選択用画面を前記表示手段に表示させる表示制御手段と、複数のプリントモードの中から所望のプリントモードを選択するプリントモード選択手段と、前記プリントモード選択手段によって選択されたプリントモードの設定要求をプリンタに送信する送信手段と、前記記録媒体から画像データの読み出しを制御するための読み出し制御手段とを有し、前記読み出し制御手段は、前記送信手段によってプリントモードの設定要求を送信した後に前記プリンタから送信される画像データ送信要求に応じて、画像データの読み出しを制御することを特徴とするデジタルカメラを提供する。
本発明は、上記目的を達成するため、画像を表示する表示手段および画像データが記録されている記録媒体から画像データを読み出す読み出し手段を有し、プリンタと通信して画像データを送信可能なデジタルカメラの制御方法であって、プリンタとの通信が開始された後に、プリントモード選択のためのプリントモード選択用画面を前記表示手段に表示させる表示制御工程と、選択されたプリントモードの設定要求をプリンタに送信する送信工程と、前記プリントモードの設定要求を送信した後に前記プリンタから送信される画像データ送信要求に応じて、画像データの読み出しを制御する読み出し制御工程とを有することを特徴とするデジタルカメラの制御方法を提供する。